(57)【特許請求の範囲】
【請求項１】
移動局による無線通信の方法であって、
ＭＡＣ管理メッセージを複数のフラグメントに分割する段階と、
前記複数のフラグメントを送信する段階と、
前記複数のフラグメントの第１フラグメントが送信された時に、再送信のタイミングの決定に用いられる単一のＭＡＣ層タイマであって、メッセージ毎に用いられる単一のＭＡＣ層タイマを開始する段階と、
前記複数のフラグメントのうちの１つが再送信される必要があることを決定する段階と、
前記複数のフラグメントのうちの１つが再送信される必要があることの決定に応じて、前記複数のフラグメントのうちの１つを複数のサブフラグメントに分割し、前記複数のサブフラグメントを送信することによって、前記再送信が必要な前記複数のフラグメントのうちの１つを再送信する段階
とを備え、
前記複数のフラグメントのうちの１つが再送信される必要があることを決定する段階は、前記単一のＭＡＣ層タイマが閾値の時間を超過したことを決定する段階を有し、
前記閾値の時間は物理層タイマの閾値の時間を超過し、
前記単一のＭＡＣ層タイマは、受信機器からＭＡＣ層ＡＣＫまたはＮＡＣＫメッセージを受信すると停止し、さらに、物理層からローカルＮＡＣＫが受信されると停止し、
前記複数のフラグメントのそれぞれは、前記複数のフラグメントの順序を示すシーケンス番号を含むヘッダを有し、
前記複数のフラグメントのうち少なくとも１つは、他のＭＡＣ管理メッセージに対して前記ＭＡＣ管理メッセージを識別するトランザクションＩＤを含む、方法。
【請求項２】
前記複数のフラグメントを送信する段階は、
前記ＭＡＣ管理メッセージの第１フラグメントを送信する段階と、
前記ＭＡＣ管理メッセージの第２フラグメントを送信する段階と、
前記ＭＡＣ管理メッセージの第３フラグメントを送信する段階と
を含む、請求項１に記載の方法。
【請求項３】
前記複数のフラグメントのうちの１つが再送信される必要があることの決定に応じて、前記複数のフラグメントのうちすべてを、複数のサブフラグメントに分割し、前記複数のサブフラグメントのすべてを送信にすることによって、前記ＭＡＣ管理メッセージを再送信する段階、
を備える請求項１又は２に記載の方法。
【請求項４】
前記複数のフラグメントのうちの１つが再送信される必要があることを決定する段階は、
累積ＡＣＫを受信する段階と、
前記累積ＡＣＫに基づいて、前記複数のフラグメントのうちの１つが正常に受信されなかったことを決定する段階と
を有する、請求項１から３のいずれか１項に記載の方法。
【請求項５】
メッセージ毎に前記シーケンス番号を割り当てる段階を備える請求項１から４のいずれか１項に記載の方法。
【請求項６】
前記複数のフラグメントのうちの１つが再送信される必要があることを決定する段階は、
Ｓｅｌｅｃｔｉｖｅ  ＡＣＫを受信する段階と、
前記Ｓｅｌｅｃｔｉｖｅ  ＡＣＫに基づいて、前記複数のフラグメントのうちの１つが正常に受信されなかったことを決定する段階と
を有する、請求項１から５のいずれか１項に記載の方法。
【請求項７】
前記複数のフラグメントを送信する段階は、前記複数のフラグメントの第１フラグメント、第２フラグメント及び第３フラグメントを別々の物理層バーストで送信する段階を備える請求項１に記載の方法。
【請求項８】
ＭＡＣ管理メッセージを複数のフラグメントに分割する段階と、
前記複数のフラグメントを送信する段階と、
前記複数のフラグメントの第１フラグメントが送信された時に、再送信のタイミングの決定に用いられる単一のＭＡＣ層タイマであって、メッセージ毎に用いられる単一のＭＡＣ層タイマを開始する段階と、
前記複数のフラグメントのうちの１つが再送信される必要があることを決定する段階と、
前記複数のフラグメントのうちの１つが再送信される必要があることの決定に応じて、前記複数のフラグメントのうちの１つを複数のサブフラグメントに分割し、前記複数のサブフラグメントを送信することによって、前記再送信が必要な前記複数のフラグメントのうちの１つを再送信する段階とを備える方法を実行する少なくとも１のプロセッサを備え、
前記複数のフラグメントのうちの１つが再送信される必要があることを決定する段階は、前記単一のＭＡＣ層タイマが閾値の時間を超過したことを決定する段階を有し、
前記閾値の時間は物理層タイマの閾値の時間を超過し、
前記単一のＭＡＣ層タイマは、受信機器からＭＡＣ層ＡＣＫまたはＮＡＣＫメッセージを受信すると停止し、さらに、物理層からローカルＮＡＣＫが受信されると停止し、
前記複数のフラグメントのそれぞれは、前記複数のフラグメントの順序を示すシーケンス番号を含むヘッダを有し、
前記複数のフラグメントの少なくとも１つは、その他のＭＡＣ管理メッセージに対して前記ＭＡＣ管理メッセージを識別するトランザクションＩＤを含む、無線機器。
【請求項９】
前記複数のフラグメントを送信する段階は、
前記ＭＡＣ管理メッセージの第１フラグメントを送信する段階と、
前記ＭＡＣ管理メッセージの第２フラグメントを送信する段階と、
前記ＭＡＣ管理メッセージの第３フラグメントを送信する段階と
を含む、請求項８に記載の無線機器。
【請求項１０】
前記少なくとも１のプロセッサは、
前記複数のフラグメントのうちの１つが再送信される必要があることの決定に応じて、前記複数のフラグメントのうちすべてを、複数のサブフラグメントに分割し、前記複数のサブフラグメントのすべてを送信にすることによって、前記ＭＡＣ管理メッセージを再送信する段階を備える方法を実行する請求項８又は９に記載の無線機器。
【請求項１１】
前記少なくとも１のプロセッサは、
累積ＡＣＫを受信する段階と、
前記累積ＡＣＫに基づいて、前記複数のフラグメントのうちの１つが正常に受信されなかったことを決定する段階と
を少なくとも有することにより、前記複数のフラグメントのうちの１つが再送信される必要があることを決定する段階を備える方法を実行する請求項８から１０のいずれか１項に記載の無線機器。
【請求項１２】
前記少なくとも１のプロセッサは、
メッセージ毎に前記シーケンス番号を割り当てる段階を備える方法を実行する請求項８から１１のいずれか１項に記載の無線機器。
【請求項１３】
前記少なくとも１のプロセッサは、
Ｓｅｌｅｃｔｉｖｅ  ＡＣＫを受信する段階と、
前記Ｓｅｌｅｃｔｉｖｅ  ＡＣＫに基づいて、前記複数のフラグメントのうちの１つが正常に受信されなかったことを決定する段階と
を少なくとも有することにより、前記複数のフラグメントのうちの１つが再送信される必要があることを決定する段階を備える方法を実行する請求項８から１２のいずれか１項に記載の無線機器。
【請求項１４】
前記少なくとも１のプロセッサは、
前記複数のフラグメントのうちの第１フラグメント、第２フラグメント及び第３フラグメントを別々の物理層バーストで送信する段階を含む方法を実行する請求項８に記載の無線機器。
【発明の詳細な説明】
【背景技術】
【０００１】
媒体アクセス制御（ＭＡＣ）層管理メッセージの信頼性は、無線ネットワークの運用における重要な課題である。一般的に、無線システムのＭＡＣ管理メッセージのエラーレートは、１０の−６乗未満である必要がある。また概して、このようなエラーレートの要件は、データパケットの要件よりも厳格である。
【図面の簡単な説明】
【０００２】
【図１】無線通信システムの例である。
【図２】第１フラグメント及び第２フラグメントに分割されたＭＡＣ管理メッセージの例である。
【図３】ＭＡＣ管理メッセージを複数のフラグメントで送信する方法の例である。
【図４】ＭＡＣ層タイマに基づいた、ＭＡＣ管理メッセージの送信及び再送信における信号フローの例である。
【図５】ＭＡＣ管理メッセージの送信及びＭＡＣ管理メッセージの一部の再送信における信号フローの別の例である。
【図６】複数のフラグメントを受信して、複数のフラグメントから単一のＭＡＣ管理メッセージを形成する方法の例である。
【発明を実施するための形態】
【０００３】
以下の詳細な説明及び添付図面は、当業者にとって十分に具体的な実施形態を示す。別の実施形態は、構造的、論理的、電気的、過程的、及びその他の変更を取り入れてよい。ある実施形態の一部及び機能は、他の実施形態に含まれてよく、あるいは代用されてよい。請求項に定義された実施形態は、それらの請求項のあらゆる等価物を包含する。
【０００４】
一例では、ＭＡＣ管理メッセージを複数のフラグメントに分割し、別々のフラグメントを送信することでＭＡＣ管理メッセージの信頼性を高めることが可能である。一例では、簡単な自動反復要求（ＡＲＱ：  Ａｕｔｏｍａｔｉｃ  Ｒｅｐｅａｔ  Ｒｅｑｕｅｓｔ）を実施することでＭＡＣ管理メッセージの信頼性を高めることが可能である。
【０００５】
図１は、無線通信システム１００の例である。無線通信システム１００は、１以上の基地局１０４及び１０５と無線通信する、複数の移動局１０２及び１０３を含んでよい。移動局１０２及び１０３のそれぞれは、移動局１０２及び１０３の処理回路１１０で実行される命令１０８を格納する、メモリ１０６を含んでよい。命令１０８は、移動局１０２及び１０３と基地局１０４及び１０５との間の無線通信を移動局１０２及び１０３に実行させるソフトウェアを備えてよい。また、移動局１０２及び１０３のそれぞれは、信号を放射及び感知するアンテナ１１４に結合された、信号を送信及び受信するＲＦ送受信機１１２を含んでよい。
【０００６】
一例では、移動局１０２及び１０３は、ワイマックス（ＷｉＭＡＸ：  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）規格プロファイル、ＷＣＤＭＡ規格プロファイル、３Ｇ  ＨＳＰＡ規格プロファイル、及びロングタームエボリューション（ＬＴＥ：  Ｌｏｎｇ  Ｔｅｒｍ  Ｅｖｏｌｕｔｉｏｎ）規格プロファイルを含む規格プロファイルおよび／または１以上の周波数帯に従って動作してよい。ある例では、移動局１０２及び１０３は、例えば電気電子技術者協会（ＩＥＥＥ：  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格等の特定の通信規格に従って動作してよい。具体的には、移動局１０２及び１０３は、無線メトロポリタンエリアネットワーク（ＷＭＡＮ：  Ｗｉｒｅｌｅｓｓ  Ｍｅｔｒｏｐｏｌｉｔａｎ  Ａｒｅａ  Ｎｅｔｗｏｒｋｓ）のＩＥＥＥ  ８０２．１６通信規格（ここでは「８０２．１６規格」とも呼ぶ）ならびにその派生規格及び進化規格の１以上のバージョンに従って動作してよい。例えば、移動局１０２及び１０３は、ＩＥＥＥ  ８０２．１６−２００４、ＩＥＥＥ  ８０２．１６（ｅ）、および／または８０２．１６規格の８０２．１６（ｍ）バージョンを用いて通信を行ってよい。ある例では、移動局１０２及び１０３は、地上波無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ＬＴＥ通信規格の、ＬＴＥリリース８、ＬＴＥリリース９、及び将来のリリースを含む、１以上のバージョンに従って通信を行ってよい。ＩＥＥＥ８０２．１６規格の詳細については、「ＩＥＥＥ  Ｓｔａｎｄａｒｄｓ  ｆｏｒ  Ｉｎｆｏｒｍａｔｉｏｎ  Ｔｅｃｈｎｏｌｏｇｙ  ？  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  ｂｅｔｗｅｅｎ  Ｓｙｓｔｅｍｓ」  −  Ｍｅｔｒｏｐｏｌｉｔａｎ  Ａｒｅａ  Ｎｅｔｗｏｒｋｓ  −  Ｓｐｅｃｉｆｉｃ  Ｒｅｑｕｉｒｅｍｅｎｔｓ  −  Ｐａｒｔ  １６：  「Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ，」（２００５年５月）ならびに関連の改訂版及びバージョンを参照されたい。ＵＴＲＡＮ  ＬＴＥ規格の詳細については、ＵＴＲＡＮ−ＬＴＥの３ＧＰＰ（３ｒｄ  Ｇｅｎｅｒａｔｉｏｎ  Ｐａｒｔｎｅｒｓｈｉｐ  Ｐｒｏｊｅｃｔ）規格リリース８（２００８年３月）、ならびにその派生およびその後のバージョン（リリース）を参照されたい。
【０００７】
ある例では、ＲＦ送受信機１１２は、複数の直交サブ搬送波を有する直交周波数分割多重方式（ＯＦＤＭ：  Ｏｒｔｈｏｇｏｎａｌ  Ｆｒｅｑｕｅｎｃｙ  Ｄｉｖｉｓｉｏｎ  Ｍｕｌｔｉｐｌｅｘ）の通信信号を通信してよい。このような多重搬送波の例のいくつかでは、移動局１０２及び１０３は、例えばＷｉＭＡＸ通信端末等の、ブロードバンド無線アクセス（ＢＷＡ：  Ｂｒｏａｄｂａｎｄ  Ｗｉｒｅｌｅｓｓ  Ａｃｃｅｓｓ）ネットワーク通信端末であってよい。別のブロードバンドの多重搬送波の例では、移動局１０２及び１０３は、３ＧＰＰ  ＵＴＲＡＮ  ＬＴＥ通信端末であってよい。このようなブロードバンドの多重搬送波の例では、移動局１０２及び１０３は、ＯＦＤＭＡ方式に従って通信を行ってよい。
【０００８】
別の例では、移動局１０２及び１０３は、例えばＤＳ−ＣＤＭＡ（Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ）および／またはＦＨ−ＣＤＭＡ（Ｆｒｅｑｕｅｎｃｙ  Ｈｏｐｐｉｎｇ  Ｃｏｄｅ  Ｄｉｖｉｓｉｏｎ  Ｍｕｌｔｉｐｌｅ  Ａｃｃｅｓｓ）等のスペクトル拡散変調方式、時分割多重（ＴＤＭ：  Ｔｉｍｅ−ｄｉｖｉｓｉｏｎ  Ｍｕｌｔｉｐｌｅｘｉｎｇ）変調方式、および／または周波数分割多重（ＦＤＭ：  Ｆｒｅｑｕｅｎｃｙ−ｄｉｖｉｓｉｏｎ  Ｍｕｌｔｉｐｌｅｘｉｎｇ）変調方式等のその他の１以上の変調方式を用いて通信を行ってよい。
【０００９】
ある例では、移動局１０２及び１０３は、ＰＤＡ（Ｐｅｒｓｏｎａｌ  Ｄｉｇｉｔａｌ  Ａｓｓｉｓｔａｎｔ）、無線通信機能付ノート型または携帯型コンピュータ、ウェブタブレット、携帯電話、無線ヘッドセット、ポケベル、インスタントメッセージ機、デジカメ、アクセスポイント、テレビ、例えば心拍数監視装置、血圧監視装置等の医療用機器、または情報を無線で受信および／または送信できるその他の機器であってよい。
【００１０】
一例では、基地局１０４及び１０５は、基地局１０４及び１０５の処理回路１１９で実行される命令１１８を格納するメモリ１１６を含んでよい。命令１１８は、基地局１０４及び１０５に、複数の移動局１０２及び１０３との間の無線通信、及び旧来の電話サービス（ＰＯＴＳ：  Ｐｌａｉｎ  Ｏｌｄ  Ｔｅｌｅｐｈｏｎｅ  Ｓｅｒｖｉｃｅ）ネットワーク等の別の通信ネットワーク１２４との通信を実行させるソフトウェアを備えてよい。また、基地局１０４及び１０５は、移動局１０２及び１０３との送受信を行うＲＦ送受信機１２０、及びＲＦ送受信機１２０に通信的に結合されたアンテナ１２２を含んでよい。ある例では、ＲＦ送受信機１２０及びアンテナ１２２は、メモリ１１６及び処理回路１１９と同じ場所に配されてよく、また別の例では、ＲＦ送受信機１２０（またはその一部）および／またはアンテナ１２２は、例えば分散型の基地局内等、メモリ１１６及び処理回路１１９から離れた場所に配されてよい。
【００１１】
ある例では、ＲＦ送受信機１２０は、複数の直交サブ搬送波を有する直交周波数分割多重方式（ＯＦＤＭ：  Ｏｒｔｈｏｇｏｎａｌ  Ｆｒｅｑｕｅｎｃｙ  Ｄｉｖｉｓｉｏｎ  Ｍｕｌｔｉｐｌｅｘ）の通信信号を特にＯＦＤＭＡ方式で通信してよい。別の例では、ＲＦ送受信機１２０は、例えばＤＳ−ＣＤＭＡおよび／またはＦＨ−ＣＤＭＡ等のスペクトル拡散変調方式、ＴＤＭ変調方式、および／またはＦＤＭ変調方式等のその他の１以上の変調方式を用いて通信を行ってよい。
【００１２】
一例では、基地局１０４及び１０５は、１以上の周波数帯／搬送波、および／またはＷｉＭＡＸ規格プロファイル、ＷＣＤＭＡ規格プロファイル、３  Ｇ  ＨＳＰＡ規格プロファイル、及びＬＴＥ規格プロファイルを含む規格プロファイルに従って動作してよい。ある例では、基地局１０４及び１０５は、ＩＥＥＥ規格等の特定の通信規格に従って動作してよい。具体的には、基地局１０４及び１０５は、８０２．１６ならびにその派生規格及び進化規格の１以上のバージョンに従って動作してよい。例えば、基地局１０４及び１０５は、ＩＥＥＥ  ８０２．１６−２００４、ＩＥＥＥ  ８０２．１６（ｅ）、および／または８０２．１６規格の８０２．１６（ｍ）バージョンを用いて通信を行ってよい。ある例では、基地局１０４及び１０５は、ＵＴＲＡＮ  ＬＴＥ通信規格の、ＬＴＥリリース８、ＬＴＥリリース９、及び将来のリリースを含む、１以上のバージョンに従って通信を行ってよい。一例では、無線通信システム１００は、通信規格の定義に従って、１以上の制御／信号接続、及び１以上のデータ／トラフィック／トランスポート接続を用いてよい。データ／トラフィック／トランスポート接続はユーザのデータを搬送してよく、一方で、制御／信号接続は主に信号データ等の制御データを搬送してよい。図２は、第１フラグメント２０２及び第２フラグメント２０４に分割されたＭＡＣ管理メッセージ２００の例である。一例では、ＭＡＣ管理メッセージ２００は、基地局１０４及び１０５ならびに移動局１０２及び１０３の構成及び調整機能をサポートするメッセージを含む。一例では、ＭＡＣ管理メッセージ２００は、制御／信号接続で搬送される制御メッセージを含む。一例では、ＭＡＣ管理メッセージ２００は、ユニキャストＭＡＣ制御メッセージを含む。「ＭＡＣ制御メッセージ」とも呼ばれるＭＡＣ管理メッセージ２００の例は、８０２．１６規格のＩＥＥＥ  ８０２．１６（ｍ）  Ｄ４バージョンの表６７５に掲載されている。ここではＭＡＣ管理メッセージ２００が２のフラグメントに分割されているが、別の例ではＭＡＣ管理メッセージ２００が３以上のフラグメントに分割されてよい。
【００１３】
一例では、フラグメント２０２及び２０４のそれぞれは、異なるＨＡＲＱ制御（例えばＡＣＩＤ等）チャネルで送信されてよく、フラグメント２０２及び２０４のそれぞれは、別の物理層バーストで送信されてよい。別の例では、いくつかのフラグメントが同じＨＡＲＱ制御チャネルで送信され、いくつかのフラグメントが同じ物理層バーストで送信される。従って、フラグメント２０２及び２０４は、非同期的に送信されてよく、ＭＡＣ管理メッセージ２００内での順序と異なる順序で受信機器に到達してよい。ＭＡＣ管理メッセージ２００を再構築する場合に、受信機器がフラグメントを正しい順序に配置できるように、フラグメントはそれぞれ、ＭＡＣ管理メッセージ２００の別のフラグメントに対するフラグメントの順序を示すシーケンス番号２１０及び２１１を含んでよい。一例では、シーケンス番号２１０及び２１１は、フラグメント２０２及び２０４のＭＡＣヘッダ部分２０６及び２０７にあってよい。フラグメント２０２及び２０４はそれぞれ、ＭＡＣヘッダ部分２０６及び２０７ならびにＭＡＣペイロード部分２０８及び２０９を含んでよい。
【００１４】
一例では、第１フラグメント２０２は、１番目のフラグメントである。（例えば、フラグメントはＭＡＣ管理メッセージ２００の初めの部分を備える。）従って、第１フラグメント２０２のシーケンス番号２１０は、ＭＡＣ管理メッセージ２００の１番目の部分に対応する。同様に、第２フラグメント２０４のシーケンス番号２１１は、ＭＡＣ管理メッセージ２００の２番目の部分に対応する。つまり、シーケンス番号２１０及び２１１は、第１フラグメント２０２が第２フラグメント２０４の前にあり、隣接することを示す。一例では、シーケンス番号は、増分する。第１フラグメント２０２が第２フラグメント２０４の前であり、隣接することを示す番号の例としては、シーケンス番号２１１の０２４及びシーケンス番号２１２の０２５が含まれる。一例では、シーケンス番号２１０及び２１１は８ビット長であり、１のＭＡＣ管理メッセージ２００につき合計６４のフラグメントが許容される。一例では、シーケンス番号は、メッセージ毎に割り当てられる。つまり、シーケンス番号は、メッセージ内の別のフラグメントに対する順序を示すが、別のメッセージのフラグメントに対する順序については情報を提供しない。
【００１５】
一例では、ＭＡＣ管理メッセージ２００の少なくとも１のフラグメントは、トランザクションＩＤ２１２を含む。トランザクションＩＤ２１２は、別のメッセージに対してＭＡＣ管理メッセージ２００を識別するべく用いられてよい。例えば、異なるＭＡＣ管理メッセージ２００は、異なるトランザクションＩＤ２１２を有してよい。一例では、トランザクションＩＤ２１２は、連続したＭＡＣ管理メッセージ２００のトランザクションＩＤ２１２は増分値であるように、増分カウンタで実装されてよい。有利なことに、トランザクションＩＤ２１２を用いると、重複したＭＡＣ管理メッセージ２００の処理を回避できる。機器１０２、１０３、１０４及び１０５が、同じトランザクションＩＤ２１２を有する２以上のＭＡＣ管理メッセージ２００を受信した場合、機器１０２、１０３、１０４及び１０５は２以上のＭＡＣ管理メッセージ２００のうちの１を処理し、残りのＭＡＣ管理メッセージ２００を無視してよい。一例では、トランザクションＩＤ２１２は、フラグメント２０４のペイロード部分２０９に含まれてよい。別の例では、トランザクションＩＤ２１２は、フラグメント２０４のヘッダ部分２０７に含まれてよい。図２の例では、トランザクションＩＤ２１２を第２フラグメント２０４内に示すが、別の例では、トランザクションＩＤ２１２は、第１フラグメント２０２、２以上のフラグメントが存在する場合はその他のあらゆるフラグメント、フラグメント２０２及び２０４の両方（フラグメントが２つ以上の場合はすべて）、またはフラグメントのサブセット内にあってよい。図３は、例えば移動局１０２及び１０３または基地局１０４及び１０５等の機器からＭＡＣ管理メッセージ２００を送信する方法３００の例である。３０２では、送信されるＭＡＣ管理メッセージ２００が複数のフラグメント２０２及び２０４に分割されてよい。一例では、あるＭＡＣ管理メッセージ２００に用いられるフラグメントの数は、例えばビット数等、ＭＡＣ管理メッセージ２００のサイズによって異なる。例えば、より長いＭＡＣ管理メッセージ２００は、より多くのフラグメント２０２及び２０４に分割される。従って、各フラグメント２０２及び２０４のサイズを小さく保つことができる。
【００１６】
３０４では、第１フラグメント２０２にシーケンス番号２１０が付与されてよい。一例では、第１フラグメント２０２がＭＡＣ管理メッセージ２００における１番目のフラグメントである場合、シーケンス番号２１０が任意であってよい。
【００１７】
３０６では、第１フラグメント２０２が送信されてよい。３０８では、第１フラグメント２０２の再送信のタイミングを決定するべく、例えば移動局１０２及び１０３または基地局１０４及び１０５等の送信機器の物理層によって物理層再送信タイマが開始されてよい。一例では、一定の期間内に、第１フラグメント２０２に対する物理層確認レスポンス（ＡＣＫ：  Ａｃｋｎｏｗｌｅｄｇｅｍｅｎｔ  Ｒｅｓｐｏｎｓｅ）が、例えば移動局１０２及び１０３または基地局１０４及び１０５等の受信機器によって受信されない場合、実実線３０９が示すように、送信機器の物理層が第１フラグメント２０２を再送信する。例えば、３ミリ秒以内に物理層ＡＣＫが受信されない場合、送信機器の物理層が第１フラグメント２０２を再送信する。一例では、第１フラグメント２０２を再送信した後に、第１フラグメント２０２をもう一度送信する必要性とそのタイミングを決定するべく、物理層タイマが再度開始されてよい。一例では、物理層は、最大の再試行回数まで、またはＭＡＣ層タイマが閾値時間を超過するまで、時間の計測を継続し、第１フラグメント２０２を再送信してよい。一例では、物理層が最大の再試行回数に到達し、かつ一定（閾値）の期間内に物理層ＡＣＫを受信しない場合、物理層は、ＭＡＣ層へローカルＮＡＣＫを送信する。その後、ＭＡＣ層は、このローカルＮＡＣＫに基づいて、以下に述べるように再送信を開始する。３０４、３０６及び３０８は、送信するＭＡＣ管理メッセージ２００のフラグメント２０２及び２０４それぞれについて繰り返される。従って、３０４では、第２フラグメント２０４にシーケンス番号２１１が付与される。シーケンス番号２１１は、第２パケット２０４が第１パケット２０２に隣接し、これに続くものであることを示してよい。一例では、シーケンス番号２１１は、第１パケット２０２のシーケンス番号２１０より１増分した番号であってよい。その後、３０６では、第２パケット２０４が送信されてよく、３０８では、第２パケット２０４の第２物理層タイマが開始されてよい。第２物理層タイマは、上述した第１パケット２０２の物理層タイマと同様に用いられてよい。一例では、フラグメント２０２及び２０４の１以上に、ＭＡＣ管理メッセージ２００に対応するトランザクションＩＤが付与されてよい。ここではフラグメント２０２及び２０４は別のフラグメントに対して逐次的に処理されているが、別の例では、各フラグメントは並行して処理（３０４、３０６、及び３１０等）されてよく、例えば、１以上のブロックにシーケンス番号の付与（３０４）が行われてよく、その後、１以上のブロックが送信（３０６）されてよい。一例では、異なるフラグメント２０２及び２０４は、異なるチャネルで送信されてよい。例えば、第１フラグメント２０２は第１チャネルで送信されてよく、第２フラグメント２０４は第２チャネルで送信されてよい。一例では、１以上のフラグメント２０２及び２０４は、１以上のＨＡＲＱチャネル（ＡＣＩＤ）で送信されてよい。
【００１８】
一例では、物理層タイマに加えてＭＡＣ層タイマが用いられてよい。ブロック３１０では、ＭＡＣ管理メッセージ２００のステータスを判断するべく、受信機器によるＭＡＣ層ＡＣＫの送信を要求することを含んだ、ＭＡＣ管理メッセージ２００のパケットの送信に基づいて、ＭＡＣ層タイマが開始する。一例では、送信機器のポーリングビットを１に設定することで、受信機器によるＭＡＣ層ＡＣＫの送信を要求することができる。一例では、送信するＭＡＣ管理メッセージ２００の未送信の最後のフラグメントは、受信機器によるＭＡＣ層ＡＣＫの送信の要求を含んでよい。一例では、例えば第１フラグメント２０２等、このような要求を有するフラグメントが送信されると直ちにＭＡＣ層タイマが開始される。別の例では、受信機器によるＭＡＣ層ＡＣＫの送信の要求は、ＭＡＣ管理メッセージ２００の別のパケットまたは複数のパケットに含まれてよい。一例では、ＭＡＣ層タイマは、受信機器からＭＡＣ層ＡＣＫまたはＮＡＣＫメッセージを受信すると、ＭＡＣ層タイマが停止する。一例では、物理層からローカルＮＡＣＫが受信されるとＭＡＣ層タイマが停止する。一例では、ＭＡＣ層タイマは、メッセージ毎に用いられる。従って、送信されたＭＡＣ管理メッセージ２００のそれぞれは、対応するＭＡＣ層タイマを有する。上述のように、一例では、ＭＡＣ層は、ＭＡＣ層ＡＣＫの受信に基づいて再送信を決定する。一例では、ＭＡＣ層ＡＣＫは、受信機器によってメッセージ毎に送信される。従って、受信機器は、受信したＭＡＣ管理メッセージ２００またはその一部のそれぞれについて１のＭＡＣ層ＡＣＫを送信する。
【００１９】
３１２では、ＭＡＣ層が、ＭＡＣ管理メッセージ２００またはその一部を再送信するか否かを決定する。一例では、ＭＡＣ層は、ＭＡＣ管理メッセージ２００またはその一部を再送信するか否かをＭＡＣ層タイマの時間の長さに基づいて決定する。つまり、ＭＡＣ層は、ＭＡＣ層ＡＣＫを受け取ることなくＭＡＣ層タイマが閾値を超過した場合に再送信することを決定してよい。ＭＡＣ層タイマは、例えば物理層によるパケット再送信の失敗回数、物理層がＦａｌｓｅ  ＡＣＫを受信した場合等、状況を把握するために用いられる。Ｆａｌｓｅ  ＡＣＫは、ＮＡＣＫが送信された場合に受信されてよいが、例えば、チャネル上のノイズが原因でＮＡＣＫの受信側がＡＣＫをデコードしてしまう場合がある。さらに、ＭＡＣ層は、受信機器からＭＡＣ層ＮＡＣＫが受信されたか否かに応じて、ＭＡＣ層タイマの期限が切れる前に再送信することを決定してよい。つまり、ＭＡＣ層ＮＡＣＫが受信された場合、ＭＡＣ層は、ＭＡＣ層タイマに残された時間にかかわらず、再送信を決定してよい。また、ＭＡＣ層はまた、送信機器の物理層からのローカルＮＡＣＫが受信されたか否かに応じて、ＭＡＣ層タイマの期限が切れる前に再送信することを決定してよい。つまり、ローカルＮＡＣＫが受信された場合、ＭＡＣ層は、ＭＡＣ層タイマに残された時間にかかわらず、再送信を決定してよい。
【００２０】
図４は、ＭＡＣ層タイマに基づいた、ＭＡＣ管理メッセージ２００の送信及び再送信における信号フロー４００の例である。４０２では、ＭＡＣ管理メッセージ２００の第１フラグメント２０２が送信され、ＭＡＣ層タイマが開始する。４０４では、ＭＡＣ管理メッセージ２００の第２フラグメント２０４が送信される。一例では、第１フラグメント２０２は、受信機器に対するＭＡＣ層ＡＣＫの送信の要求を含む。ＭＡＣ層ＡＣＫを受信することなく、第１フラグメント２０２の送信からＭＡＣ層タイマに基づいた閾値の時間が過ぎると、送信機器のＭＡＣ層は、ＭＡＣ管理メッセージ２００の再送信を決定する（ブロック３１２）。一例では、この一定の時間とは１５ミリ秒である。一例では、この一定の時間は、ＭＡＣ管理メッセージ２００のフラグメント２０２及び２０４の物理層による再送信の往復遅延の最長時間よりも長い。一例では、再送信の往復遅延の最長時間は、物理層がフラグメントを再送信する時間と最大試行回数に到るまで待機する時間とを含む。別の例では、この一定の時間は、物理層が少なくとも１回の送受信を行い、送信及び再送信の応答を受信するに十分な時間を提供する。
【００２１】
一例では、第１パケット２０２及び第２パケット２０４を再送信することにより、ＭＡＣ管理メッセージ２００全体が再送信信される。例えば、図３の実線３１３が示すように、ブロック３０６、３０８及び３１０は、ＭＡＣ管理メッセージ２００について再実行されてよい。従って、送信されたフラグメントは、元のフラグメントに対応したシーケンス番号及び受信機器に対するＭＡＣ層ＡＣＫの送信の要求を含んでよい。
【００２２】
図４に示す別の例では、ＭＡＣ管理メッセージ２００を新たなフラグメントに再分割し新たなフラグメントを再送信することにより、ＭＡＣ管理メッセージ２００全体が再送信される。従って、図３の実線３１４が示すように、ブロック３０２、３０４、３０６、３０８及び３１０が再実行されてよい。一例では、各フラグメントのサイズを縮小するべく再分割される場合には、ＭＡＣ管理メッセージ２００は多数のフラグメントへと分割されてよい。これは、フラグメントが受信機器で正常に受信される可能性を高めることができる。図４に示す例では、ＭＡＣ管理メッセージ２００は新たな３つのフラグメントに再分割されている。新たなフラグメントのそれぞれは、ブロック３０４でシーケンス番号を付与され、１以上のフラグメントはＭＡＣ層ＡＣＫを送信する要求を含んでよい。４０６、４０８及び４１０で、新たなフラグメントが送信される。
【００２３】
図５は、受信したＭＡＣ層ＡＣＫまたはＮＡＣＫに基づいた、ＭＡＣ管理メッセージ２００の送信及び再送信における信号フロー５００の例である。５０２では、ＭＡＣ管理メッセージ２００の第１フラグメント２０２が送信機器から送信される。５０４では、ＭＡＣ管理メッセージ２００の第２フラグメント２０４が送信される。
【００２４】
一例では、５０６で、受信機器で正常に受信したフラグメントに基づいて、受信機器からＭＡＣ層累積ＡＣＫが送信される。累積ＡＣＫは、受信機器で正常に受信した連続するフラグメント（例えば、第１フラグメントを先頭とする）を示す。例えば、ＭＡＣ管理メッセージの１番目、２番目、３番目及び５番目のフラグメントは正常に受信されたが、４番目のフラグメントの受信が失敗した場合、累積ＡＣＫは、１番目から３番目のフラグメントが正常に受信されたことを示す。送信機器は、この累積ＡＣＫに基づいて、３番目のフラグメントの後のフラグメントの受信が失敗したかも知れないと判断してよい。
【００２５】
一例では、受信機器は、第１パケット２０２を受信してから、ＭＡＣ管理メッセージ２００の最後のパケットであることを示すパケット及び第１パケット２０２と最後のパケットとの間の全てのパケットを受信することなく、ＭＡＣ層受信タイマの閾値の時間が過ぎた後に、送信機器へ累積ＡＣＫを送信する。一例では、ＭＡＣ層受信タイマは、第１フラグメント２０２を正常に受信してから開始する。図５の例では、第２フラグメント２０４は、ＭＡＣ管理メッセージ２００の最後のパケットであることを示す。従って、受信機器は、受信機器が第１フラグメント２０２を受信してから閾値の時間内に第２フラグメント２０４を正常に受信しない場合に累積ＡＣＫを送信する。図５に示すように、この累積ＡＣＫは、第１フラグメント２０２の受信の成功を確認する。送信機器がこの累積ＡＣＫを受信すると、送信機器は、２番目のフラグメント（第２フラグメント２０４）及び後のあらゆるフラグメント（この例では存在しない）が正常に受信されなかったと判断する。別の例では、５０６で、ＭＡＣ層Ｓｅｌｅｃｔｉｖｅ  ＡＣＫが送信機器へ送信される。Ｓｅｌｅｃｔｉｖｅ  ＡＣＫは、フラグメントが連続しているか否かにかかわらず、メッセージの、正常に受信された各フラグメントを示す。例えば、ＭＡＣ管理メッセージの１番目、２番目、３番目及び５番目のフラグメントは正常に受信されたが、４番目のフラグメントの受信が失敗した場合、Ｓｅｌｅｃｔｉｖｅ  ＡＣＫは、１番目、２番目、３番目及び５番目のフラグメントが正常に受信されたことを示す。送信機器は、どのフラグメントが正常に受信され、どのフラグメントが正常に受信されなかったかをこのＳｅｌｅｃｔｉｖｅ  ＡＣＫに基づいて正確に判断してよい。
【００２６】
一例では、受信機器は、第１パケット２０２を受信してから、ＭＡＣ管理メッセージ２００の最後のパケットであることを示すパケット及び第１パケット２０２と最後のパケットとの間の全てのパケットを受信することなく、ＭＡＣ層受信タイマの閾値の時間が過ぎた後に、送信機器へＳｅｌｅｃｔｉｖｅ  ＡＣＫを送信する。一例では、ＭＡＣ層受信タイマは、第１フラグメント２０２を正常に受信してから開始する。図５の例では、第２フラグメント２０４は、ＭＡＣ管理メッセージ２００の最後のパケットであることを示す。従って、受信機器は、受信機器が第１フラグメント２０２を受信してから閾値の時間内に第２フラグメント２０４を正常に受信しない場合にＳｅｌｅｃｔｉｖｅ  ＡＣＫを送信する。図５に示すように、このＳｅｌｅｃｔｉｖｅ  ＡＣＫは第１フラグメント２０２の受信の成功を確認する。送信機器がこのＳｅｌｅｃｔｉｖｅ  ＡＣＫを受信すると、送信機器は、第２フラグメント２０４が正常に受信されなかったと判断する。また別の例では、受信機器はＭＡＣ層Ｓｅｌｅｃｔｉｖｅ  ＮＡＣＫを送信してよい。Ｓｅｌｅｃｔｉｖｅ  ＮＡＣＫは、フラグメントが連続しているか否かにかかわらず、メッセージの、正常に受信されなかった各フラグメントを示す。上述したＳｅｌｅｃｔｉｖｅ  ＡＣＫについての説明と同様に、送信機器はこれを用いて、どのフラグメントが正常に受信されなかったかを判断してよい。送信機器で受信したＭＡＣ層ＡＣＫまたはＮＡＣＫの種類にかかわらず、送信機器が１以上のフラグメントが正常に受信されなかったと判断すると、送信機器はＭＡＣ管理メッセージ２００全体またはその一部の再送信を決定してよい。
【００２７】
図５の例では、送信機は、ＭＡＣ管理メッセージの正常に受信されなかった部分に対応する部分を再送信する。従って、図５に示すように、送信機器は、受信したＡＣＫに基づいて第２フラグメント２０４の再送信を決定する。図５の例では、送信機器は、第２フラグメントを複数のサブフラグメントに分割し、各サブフラグメントを別々に送信することで第２フラグメント２０４を再送信する。５０８、５１０及び５１２では、第２フラグメント２０４は３つのサブフラグメントに分割され、各サブフラグメントが送信される。一例では、サブフラグメントのそれぞれが、対応するフラグメントを形成するサブフラグメントの正しい順序を示す、サブフラグメントシーケンス番号を含んでよい。別の例では、送信機器は単純に第２フラグメント２０２を変更することなく再送信してよい。一例では、再送信されたフラグメントまたはサブフラグメントは、受信機器がフラグメントを正しい順に並べることができるよう、元のフラグメントに対応するシーケンス番号２１０及び２１１を含んでよい。さらに、再送信されたフラグメントまたはサブフラグメントは、受信機器によるＭＡＣ層ＡＣＫの送信の要求を含んでよい。
【００２８】
別の例では、ＭＡＣ管理メッセージ２００の全体が再送信されてよい。上述したように、ＭＡＣ管理メッセージ２００は、同じフラグメントを有した状態で単純に再送信されてもよいが、ＭＡＣ管理メッセージは再分割されて、異なる数のフラグメントを有した状態で再送信されてもよい。一例では、受信機器が最後のフラグメント及び最後のフラグメントと最初のフラグメントとの間の全てのフラグメントを正常に受信すると、受信機器は、ＭＡＣ管理メッセージ２００の全てのフラグメントが正常に受信されたことを示すＡＣＫを送信する。従って、再送信は不要である。図６は、複数のフラグメントを受信して、複数のフラグメントから単一のＭＡＣ管理メッセージ２００を形成する方法６００の例である。６０２では、受信機器が複数のフラグメントを受信する。６０４では、複数のフラグメントのそれぞれでシーケンス番号が特定される。６０６では、シーケンス番号に基づいて複数のフラグメントを結合することでＭＡＣ管理メッセージ２００が形成される。上述のように、シーケンス番号は、フラグメントの相対的な順序を示す。従って、受信機器は、シーケンス番号に基づいて、フラグメントを正しい順序で結合することができる。
【００２９】
実施形態は、ハードウェア、ファームウェア、またはソフトウェアの１あるいはそれらの組み合わせで実装されてよい。また、実施形態は、少なくとも１の処理回路で読取られ実行されると、ここに説明した動作を実行する、コンピュータ可読媒体に格納された命令として実装されてよい。コンピュータ可読媒体は、コンピュータ等の機械によって読取り可能な形式で格納するあらゆるメカニズムを含んでよい。例えば、コンピュータ可読媒体は、ＲＯＭ、ＲＡＭ、磁気格納媒体、光格納媒体、フラッシュメモリデバイス、及びその他の格納デバイス及び媒体を含んでよい。
【００３０】
＜例示的な実施形態＞  例１は、移動局の無線通信手段を備える。方法は、ＭＡＣ管理メッセージの第１フラグメントを送信する段階と、ＭＡＣ管理メッセージの第２フラグメントを送信する段階と、ＭＡＣ管理メッセージの第３フラグメントを送信する段階とを備える。第１、第２及び第３フラグメントのそれぞれは、フラグメントの順序を示すシーケンス番号を含む。第１、第２及び第３フラグメントのうちの少なくとも１つは、他のメッセージに対してＭＡＣ管理メッセージを識別するトランザクションＩＤを含む。
【００３１】
例２では、例１の主題は、第１フラグメントが送信された時に、他のＭＡＣ層タイマを再送信の決定に用いることなく、単一のＭＡＣ層タイマを開始する段階と、単一のＭＡＣ層タイマが閾値の時間を超過した場合にＭＡＣ管理メッセージの少なくとも一部を再送信する段階とを任意に含んでよく、この閾値の時間は、物理層タイマの閾値の時間を超過する。
【００３２】
例３では、例１または２のいずれかの主題は、ＭＡＣ管理メッセージを第１フラグメント、第２フラグメント及び第３フラグメントに分割する段階と、ＭＡＣ管理メッセージを４以上のフラグメントに再分割して、４以上のフラグメントを再送信することで、ＭＡＣ管理メッセージの全体を再送信する段階とを任意に含んでよい。
【００３３】
例４では、例１から３のいずれか１の主題は、第１フラグメント及び第２フラグメントが正常に受信されたことを示す累積ＡＣＫを受信する段階と、ＭＡＣ管理メッセージの全体を再送信する段階と任意に含んでよい。
【００３４】
例５では、例１から４のいずれか１の主題は、メッセージ毎にシーケンス番号を割り当てる段階を任意に含んでよい。
【００３５】
例６では、例１から５のいずれか１の主題は、第１フラグメント及び第３フラグメントを正常に受信したことを示すＳｅｌｅｃｔｉｖｅ  ＡＣＫを受信する段階と、ＭＡＣ管理メッセージの、第２フラグメントに対応する部分を再送信する段階とを任意に含んでよい。
【００３６】
例７では、例１から６のいずれか１の主題は、ＭＡＣ管理メッセージの、第２フラグメントに対応する部分を複数のサブフラグメントで再送信する段階を任意に含んでよい。
【００３７】
例８では、例１から７のいずれか１の主題は、第１フラグメント、第２フラグメント及び第３フラグメントを別々の物理層バーストで送信する段階を任意に含んでよい。例９は、ＭＡＣ管理メッセージの第１フラグメントを送信し、ＭＡＣ管理メッセージの第２フラグメントを送信し、ＭＡＣ管理メッセージの第３フラグメントを送信する少なくとも１のプロセッサを含む無線機器を備える。第１、第２及び第３フラグメントのそれぞれは、フラグメントの順序を示すシーケンス番号を含む。第１、第２及び第３フラグメントのうち少なくとも１つは、その他のメッセージに対してＭＡＣ管理メッセージを識別するトランザクションＩＤを含む。
【００３８】
例１０では、例９の主題は、第１フラグメントが送信された時に、再送信のタイミングの決定に他のＭＡＣ層タイマを用いることなく、単一のＭＡＣ層タイマを開始する段階と、単一のＭＡＣ層タイマが閾値の時間を超過した場合に、ＭＡＣ管理メッセージの少なくとも一部を再送信する段階とを含み、閾値の時間は物理層タイマの閾値の時間を超過する方法を実行する方法を実行する少なくとも１のプロセッサを任意に含んでよい。
【００３９】
例１１では、例１０または９のいずれかの主題は、ＭＡＣ管理メッセージを第１、第２及び第３のフラグメントに分割する段階と、ＭＡＣ管理メッセージを４以上のフラグメントに再分割して、４以上のフラグメントを再送信することで、ＭＡＣ管理メッセージの全体を再送信する段階とを含む方法を実行する少なくとも１のプロセッサを任意に含んでよい。
【００４０】
例１２では、例９から１１のいずれか１の主題は、第１及び第２フラグメントが正常に受信されたことを示す累積ＡＣＫを受信する段階と、ＭＡＣ管理メッセージの全体を再送信する段階とを含む方法を実行する少なくとも１のプロセッサを任意に含んでよい。
【００４１】
例１３では、例９から１２のいずれか１の主題は、メッセージ毎にシーケンス番号を割り当てる段階を含む方法を実行する少なくとも１のプロセッサを任意に含んでよい。
【００４２】
例１４では、例９から１３のいずれか１の主題は、第１及び第３フラグメントを正常に受信したことを示すＳｅｌｅｃｔｉｖｅ  ＡＣＫを受信する段階と、ＭＡＣ管理メッセージの、第２フラグメントに対応する部分を再送信する段階とを含む方法を実行する少なくとも１のプロセッサを任意に含んでよい。
【００４３】
例１５では、例９から１４のいずれか１の主題は、ＭＡＣ管理メッセージの、第２フラグメントに対応する部分を複数のサブフラグメントで再送信する段階を含む方法を実行する少なくとも１のプロセッサを任意に含んでよい。
【００４４】
例１６では、例９から１５のいずれか１の主題は、第１、第２及び第３フラグメントを別々の物理層バーストで送信する段階を含む方法を実行する少なくとも１のプロセッサを任意に含んでよい。
【００４５】
例１７は、移動局による無線通信の方法を備える。方法は、第１ＭＡＣ管理メッセージの最初のフラグメントを正常に受信する段階を含む。また方法は、最初のフラグメントが受信された場合に、ＡＣＫを送信するタイミングの決定に他のＭＡＣ層受信タイマを用いることなく、単一の受信タイマを開始する段階を含む。また方法は、第１ＭＡＣ管理メッセージの最後のフラグメント及び第１ＭＡＣ管理メッセージの前記最後のフラグメントと第１フラグメントとの間の各フラグメントを正常に受信することなく、前記単一の受信タイマの閾値の時間が超過した後に、前記最初のフラグメント及び連続するフラグメントのそれぞれが正常に受信されたことを示す累積ＡＣＫを送信する段階を含む。
【００４６】
例１８では、例１７の主題は、第２ＭＡＣ管理メッセージの第１フラグメントを正常に受信する段階を任意に含んでよい。第２ＭＡＣ管理メッセージの第１フラグメントが受信された場合に、ＡＣＫを送信するタイミングの決定に他のＭＡＣ層受信タイマを用いることなく、単一の受信タイマが開始される。また方法は、第２ＭＡＣ管理メッセージの最後のフラグメント及び第２ＭＡＣ管理メッセージの最後のフラグメントと第１フラグメントとの間の各フラグメントを正常に受信することなく、単一の受信タイマの閾値の時間が超過した後に、フラグメントのそれぞれが正常に受信されたことを示すＳｅｌｅｃｔｉｖｅ  ＡＣＫを送信する段階を含む。例１９は、第１ＭＡＣ管理メッセージの最初のフラグメントを正常に受信する段階を含む方法を実行する少なくとも１のプロセッサを含む無線機器を備える。また少なくとも１のプロセッサは、最初のフラグメントが受信された場合に、ＡＣＫを送信するタイミングの決定に他のＭＡＣ層受信タイマを用いることなく、単一の受信タイマを開始する段階を含む方法を実行する。少なくとも１のプロセッサは、第１ＭＡＣ管理メッセージの最後のフラグメント及び第１ＭＡＣ管理メッセージの最後のフラグメントと第１フラグメントとの間の各フラグメントを正常に受信することなく、単一の受信タイマの閾値の時間が超過した後に、最初のフラグメント及び連続するフラグメントのそれぞれが正常に受信されたことを示す累積ＡＣＫを送信する段階を含む方法を実行する。
【００４７】
例２０では、例１９の主題は、第２ＭＡＣ管理メッセージの第１フラグメントを正常に受信する段階と、第２ＭＡＣ管理メッセージの第１フラグメントが受信された場合に、ＡＣＫを送信するタイミングの決定に他のＭＡＣ層受信タイマを用いることなく、単一の受信タイマを開始する段階とを含む方法を実行する少なくとも１のプロセッサを任意に含んでよい。少なくとも１のプロセッサは、第２ＭＡＣ管理メッセージの最後のフラグメント及び第２ＭＡＣ管理メッセージの最後のフラグメントと第１フラグメントとの間の各フラグメントを正常に受信することなく、単一の受信タイマの閾値の時間が超過した後に、フラグメントのそれぞれが正常に受信されたことを示すＳｅｌｅｃｔｉｖｅ  ＡＣＫを送信する段階とを含む方法を実行する。
【００４８】
米国特許規則第３７条（３７  ＣＦＲ）を順守すべく要約書を提供する。１．７２項（ｂ）（Ｓｅｃｔｉｏｎ  １．７２（ｂ））は、読み手が技術的開示の本質及び主旨を確認し得る要約書を要求している。要約書が請求項の範囲または意味を制限または解釈するために用いられるものではないことを理解されたい。以下に、各請求項が別個の実施形態として独立した、請求項を詳細な説明に包含する。
【図１】
0005539496.tif 000002
【図２】
0005539496.tif 000003
【図３】
0005539496.tif 000004
【図４】
0005539496.tif 000005
【図５】
0005539496.tif 000006
【図６】
0005539496.tif 000007